(57)【要約】  【課題】耐圧性及び気密性に優れた高気圧筐体装置を提供する。  【解決手段】高気圧環境下となっている筐体２０を有し、筐体２０内で身体運動などが行われる高気圧筐体装置において、筐体２０は、箱状に組み込まれた複数のパネル２３２，２４２，２５２，２６２，２７２と各パネル２３２，２４２，２５２，２６２，２７２の少なくとも一面に延在された複数の補強フレーム２３４，２４８，２５８，２６８，２７８とを有する周壁２１と、周壁２１の内面を覆う気密性部材２８とを具備している。これにより、各パネル２３２，２４２，２５２，２６２，２７２の耐圧強度が向上する。また、周壁２１の内面が気密性部材２８で覆われているため、周壁２１が内圧により多少変形する場合でも、筐体２１内の気密性が損なわれることがない。【選択図】  図４
2005348817.tif 000002
【特許請求の範囲】
【請求項１】
高気圧環境下となっている筐体を有し、該筐体内で身体運動などが行われる高気圧筐体装置において、
前記筐体は、箱状に組み込まれた複数のパネルと該各パネルの少なくとも一面に延在された複数の補強フレームとを有する周壁と、該周壁の内面を覆う気密性部材とを具備する
ことを特徴とする高気圧筐体装置。
【請求項２】
前記気密性部材は前記周壁内面と略同一に形成された袋体となっている
ことを特徴とする請求項１記載の高気圧筐体装置。
【請求項３】
前記気密性部材の上部又は前記周壁の上部の一方には突出した係止部を有し、他方には該係止部が係止される係止孔を有する
ことを特徴とする請求項２記載の高気圧筐体装置。
【請求項４】
前記気密性部材の内側には該気密性部材を前記周壁に保持する気密性部材保持枠を配置した
ことを特徴とする請求項２又は請求項３記載の高気圧筐体装置。
【請求項５】
前記気密性部材は可撓性材料で形成した
ことを特徴とする請求項１乃至請求項４の何れか一項に記載の高気圧筐体装置。
【請求項６】
前記各パネルは２枚のプレートを積層してなり、該各プレートのうち少なくとも一方は他方に向かって膨出した複数の凸部を有する
ことを特徴とする請求項１乃至請求項５の何れか一項に記載の高気圧筐体装置。
【発明の詳細な説明】
【技術分野】
【０００１】
本発明は、高気圧環境下で身体運動などが可能な高気圧筐体装置に関するものである。
【背景技術】
【０００２】
近時、身体の脂肪を燃焼させ、肥満を解消する運動として有酸素運動が注目されている。
【０００３】
この有酸素運動は、血液中の酸素により人体の脂肪を燃焼させてエネルギーを発生させる運動であり、ダイエットなどに好適な運動として評価されている。また、有酸素運動を効率よく行うためには、血液中の溶解型酸素の濃度を高くすればよい。ここで、溶解型酸素とは血液や体液に直接にとけ込む酸素で、その濃度は雰囲気中の圧力及び酸素濃度に比例して増加する。
【０００４】
そこで、血液中の溶解型酸素濃度を高くする手段として、高気圧筐体装置が提案されている。この高気圧筐体装置は筐体内を高気圧環境下に保持し、筐体内で有酸素運動を行うことができるスペースを有する構造となっている。
【特許文献１】特公平４−２０３５４号公報
【発明の開示】
【発明が解決しようとする課題】
【０００５】
ところで、有酸素運動を行うためには多少広めの筐体内スペースが必要となるが、筐体内スペースを広くするほど高気圧による筐体変形が大きく、また、筐体変形に伴う空気漏れも増大し、耐圧性及び気密性の両者を確保することが困難となっていた。
【０００６】
本発明の目的は前記従来の課題に鑑み、耐圧性及び気密性に優れた高気圧筐体装置を提供することにある。
【課題を解決するための手段】
【０００７】
本発明は前記課題を解決するため、請求項１の発明によれば、高気圧環境下となっている筐体を有し、筐体内で身体運動などが行われる高気圧筐体装置において、筐体は、箱状に組み込まれた複数のパネルと各パネルの少なくとも一面に延在された複数の補強フレームとを有する周壁と、周壁の内面を覆う気密性部材とを具備している。
【０００８】
請求項１の発明によれば、各パネルには複数の補強フレームが固定されているため、各パネルの耐圧強度が向上する。また、周壁の内面が気密性部材で覆われているため、周壁が内圧により多少変形する場合でも、筐体内の気密性が損なわれることがない。
【０００９】
請求項２の発明は、請求項１の高気圧筐体装置において、気密性部材は周壁内面と略同一に形成された袋体となっている。請求項２の発明によれば、気密性部材を周壁内に取り付ける際は、気密性部材を筐体内に入れ、続いて、気密性部材の内部を広げればよい。また、筐体内で空気漏れが発生したときは、気密性部材のみを交換すればよい。
【００１０】
請求項３の発明は、請求項２の高気圧筐体装置において、気密性部材の上部又は周壁の上部の一方には突出した係止部を有し、他方には係止部が係止される被係止孔を有する構造となっている。
【００１１】
請求項３の発明によれば、突出した係止部を被係止孔に係止することにより、気密性部材が周壁上部に吊り下げられた状態となる。これにより、その後に行われる作業、即ち、気密性部材を内部から押し広げる作業が簡単にできる。
【００１２】
請求項４の発明は、請求項２又は請求項３の高気圧筐体装置において、気密性部材の内側には気密性部材を周壁に保持する気密性部材保持枠を有する構造となっている。請求項４の発明によれば、押し広げられた気密性部材において、その形状が気密性部材保持枠により保持されるため、気密性部材が周壁の内面全体に展着することができる。
【００１３】
請求項５の発明は、請求項１乃至請求項４の高気圧筐体装置において、気密性部材が可撓性材料で形成されているため、気密性部材を簡単に広げることができるし、また、周壁内面の凹凸に密接して展着することできる。
【００１４】
請求項６の発明は、請求項１乃至請求項５の高気圧筐体装置において、各パネルは２枚のプレートを積層してなり、各プレートのうち少なくとも一方は他方に向かって膨出した複数の凸部を有する。請求項６の発明によれば、一方のプレートの凸部により各プレート間の距離が大きくなり、これにより、パネルの厚さ寸法が大きくなるため、各パネルの耐圧強度が向上する。
【発明の効果】
【００１５】
本発明によれば、各パネルと補強フレールで構成された周壁によって筐体の耐圧性が確保され、他方、気密性部材によって気密性が確保されるため、耐圧性及び気密性に優れたものとなる。
【発明を実施するための最良の形態】
【００１６】
図１乃至図７は本発明に係る高気圧筐体装置の一実施形態を示すもので、図１は高気圧筐体装置の全体斜視図、図２は筐体を正面側から見た状態を示す全体斜視図、図３は筐体の背面側から見た状態を示す一部省略斜視図、図４は筐体の縦断面図、図５は気密性部材を広げた状態を示す斜視図、図６は気密性部材保持枠を示す斜視図である。
【００１７】
高気圧筐体装置１の全体構造を、まず、図１及び図２を参照して説明する。高気圧筐体装置１は有酸素運動を行うチャンバー部２と圧力や酸素濃度などを調整するコントロール部３とを有している。なお、図示しないが、チャンバー部２内にはコンプレッサー等により高圧でかつ高酸素濃度の空気が供給されるようになっている。
【００１８】
チャンバー部２は、周壁２１が六面体（底面部２３、天井部２４、前面部２５、側面部２６及び背面部２７）なっている筐体２０と、該筐体２０の外面を覆う同じく略六面体となっている外装体２２とを有している。この筐体２０の内部空間は運動者が余裕を持って運動できるスペース、例えば運動用固定式自転車が設置でき、自転車運動ができるスペースを有している。なお、後述する透視窓２４５，２５５，２６５と対向して透視カバー２２１が取付けられている。
【００１９】
まず、筐体２０の底部２３及び天井部２４の構造を図２及び図４を参照して説明する。
【００２０】
筐体２０の底部２３は、平面から見て全体に矩形状に形成された断面Ｌ字状の底面取付フレーム２３１を有している。この取付フレーム２３１の内側にはパネル２３２がねじ止めされている。また、パネル２３２と取付フレーム２３１との間には空気漏れを防止するための軟質のシール部材２３３が介在されている。また、取付フレーム２３１の下面には幅方向に延在された断面方形状の補強フレーム２３４が固定され、且つ、前後方向に間隔をおいて複数配列されている。各補強フレーム２３４の上面には各パネル２３２の圧力変形を吸収する軟質の圧力吸収部材２３７が介在され、また、各補強フレーム２３４は取付フレーム２３１の下面にスポット溶接により溶着されている。更に、取付フレーム２３１の各コーナ部にはコーナブラケット２３５が溶接され、また、取付フレーム２３１の左右には前後に間隔をおいて側面ブラケット２３６が溶接されている。
【００２１】
このように構成された底部２３において、パネル２３２はスチール製の内側パネル部２３２ａと外側パネル部２３２ｂとから構成されている。また、外側パネル部２３２ｂには内側パネル部２３２ａに向かって凸部２３２ｃを多数形成して、パネル２３２全体に厚みをもたせている。
【００２２】
筐体２０の天井部２４は、平面から見て全体に矩形状に形成された断面逆Ｌ字状の天井取付フレーム２４１を有している。この取付フレーム２４１の下面には前後に２枚の四角形状のパネル２４２がねじ止めされている。各パネル２４２は互いに対向する部分に四角形状の窓枠２４３が形成されている。この窓枠２４３に軟性のパッキン２４４を介して透視窓２４５が填め込まれ、更に押さえ枠２４６で各パネル２４２にねじ止めされている。また、各パネル２４２と取付フレーム２４１との間には空気漏れを防止するための軟質のシール部材２４７が介在されている。また、各取付フレーム２４１の上面には各取付フレーム２４１を橋渡すよう断面方形状の補強フレーム２４８が固定され、該補強フレーム２４８の下面には各パネル２４２の圧力変形を吸収する軟質の圧力吸収部材２４０が介在されている。また、各補強フレーム２４８は取付フレーム２４１の上面にスポット溶接により溶着され、更に、各補強フレーム２４８の上面には透視窓２４５に対向するよう円形状の取付リング２４９がねじ止めされている。更にまた、取付フレーム２７１の各コーナ部にはコーナブラケット２４１ａが溶接され、また、取付フレーム２４１には前後に間隔をおいて側面ブラケット２４１ｂが溶接されている。
【００２３】
このように構成された天井部２４において、パネル２４２はスチール製の内側パネル部２４２ａと外側パネル部２４２ｂとから構成されている。また、外側パネル部２４２ｂには内側パネル部２４２ａに向かって凸部２４２ｃを多数形成して、パネル２４２全体に厚みをもたせている。
【００２４】
以上、底面部２３と天井部２４のみを詳細に説明したが、前面部２５、側面部２６及び背面部２７の各パネル２５２，２６２，２７２も、底面部２３及び天井部２４と同様に２重構造となっており、各パネル２５２，２６２，２７２全体に厚みをもたせており、また、各パネル２５２，２６２，２７２の表面にも同じく補強フレーム２５８，２６８，２７８が設けられている。また、前面部２５及び側面部２６の透視窓２５５，２６５も同じく天井部２４の透視窓２４５と同様の構造で取付けられている。また、背面部２７には、図３に示すように、開閉扉２７３が設置されており、開閉扉２７３を介して筐体２０内に出入りできるようになっている。
【００２５】
次に、周壁２１の内面を覆うよう配置される気密性部材２８の構造を図４及び図５を参照して説明する。なお、図５は展開された気密性部材２８を背面側から見た状態を示している。
【００２６】
気密性部材２８は高気密性材料でかつ可撓性を有する樹脂であり、例えば塩化ビニル、ポリエチレン、ナイロン等の材料で形成されている。また、気密性部材２８の強度を向上させるため複数の部材を貼り合わせたものでもよい。気密性部材２８は、その展開状態において図４に示すように周壁２１の内面とほぼ同様の形状となるよう袋体となっている。気密性部材２８のうち前記開閉扉２７３と対向する位置には扉用の開口２８１が形成されている。また、気密性部材２８のうち前記各透視窓２４５，２５５，２６５と対向する位置は透明部材２８２で形成されている。また、透視部材２８２の周囲には面状ファスナーのフック部２８３が複数設けられている。なお、周壁２１で同じく各透視窓２４５，２５５，２６５の周縁には、図４に示すように、各フック部２８３と対向するよう面状ファスナーのパイル部２８４が設けられている（なお、図４では天井部２４の透視窓２４５側のパイル部２８４のみを示したが、他の透視窓２５５，２６５も同様に設置されている。）
このように構成された気密性部材２８を周壁２１の内面に配置するときは、次のようにして行う。即ち、まず、背面部２７の開閉扉２７３を開け、折りたたんだ気密性部材２８を周壁２１内に入れる。次いで、気密性部材２８の上部コーナ部の各々に設けた紐状の係止部２８５を天井取付けフレーム２４１のコーナ部に形成した被係止孔２８６から筐体２０の外に引き出して保持することにより、気密性部材２８の上部全体が上方に向かって引き上げられ、気密性部材２８の内部に作業空間が形成される。次に、気密性部材２８の内部に入り、気密性部材２８の上部を天井部２４の内面に向けて押し上げ、フック部２８３をパイル部２８４に係止する。これにより、透明部材２８２が透視窓２４５に歪みなく対向する。
【００２７】
続いて、気密性部材２８の側面及び前面のフック部２８３も同じく前面部２５及び側面部２６のパイル部に係止する（図示しない）。これにより、気密性部材２８の内側が押し開かれ、また、透視部材２８２が透視窓２５５，２６５に歪みなく対向する。
【００２８】
しかる後、図６に示す気密性部材保持枠２９を開閉扉２７３から気密性部材２８の内側に入れる。ここで、気密性部材保持枠２９は上部押さえ枠２９１と上部押さえ枠２９１を支持する２個の支持枠２９２とから構成されており、上部押さえ枠２９１と各支持枠２９２とは互いに着脱自在となっている。ここで、上部押さえ枠２９１は周壁内面で天井部２４の周縁に沿うよう四角形状に設計され、また、各支持枠２９２は略Ｕ字状に形成され、上下寸法が周壁内面の上下寸法と同一に設計されている。
【００２９】
このように構成された気密性部材保持枠２９を気密性部材２８の内側に入れるときは、各支持枠２９２を予め上部押さえ枠２９１から外しておき、上部押さえ枠２９１と各支持枠２９２を別々に気密性部材２８内に入れる。
【００３０】
次いで、気密性部材２８内で図６に示すように組み立てる。これにより、図４に示すように、気密性部材２８の上部は上部押さえ枠２９１により押さえられ、また、気密性部材２８の両側面部は支持枠２９２により押さえられる。この状態で、気密性部材２８を周壁２１の内面全体に密接に貼り付ける。これにより、気密性部材２８の取付け作業が完了する。
【００３１】
本実施形態によれば、周壁２１の各パネル２３２，２４２，２５２，２６２，２７２には複数の補強フレーム２３４，２４８，２５８，２６８，２７８が固定されているため、各パネル２３２，２４２，２５２，２６２，２７２の耐圧強度が向上している。また、各２３２，２４２，２５２，２６２，２７２が２枚のプレートを積層してなり、一方から他方に向かって膨出した複数の凸部２３２ｃ，２４２ｃを有するので、パネル２３２，２４２，２５２，２６２，２７２の厚さ寸法が大きくなり、各パネルパネル２３２，２４２，２５２，２６２，２７２の耐圧強度が向上する。
【００３２】
また、周壁２１の内面が気密性部材２８で覆われているため、周壁２１が内圧により多少変形する場合でも、筐体２１内の気密性が損なわれることがない。
【００３３】
更に、気密性部材２８を周壁２１内に取り付ける際は、気密性部材２８を筐体内２０に入れ、続いて、袋体状の気密性部材２８の内部を広げればよく、気密構造が簡単に実現される。また、筐体２０内で空気漏れが発生したときは、気密性部材２８のみを交換すればよく、メンテナンスが簡単になっている。
【００３４】
更にまた、気密性部材２８の内側にはこれを周壁２１に保持する気密性部材保持枠２９を有するので、押し広げられた気密性部材２８の形状が気密性部材保持枠２９により保持され、気密性部材２８が周壁２１の内面全体に展着することができる。
【００３５】
更にまた、気密性部材２８は可撓性材料で形成されているため、気密性部材２８を簡単に広げることができるし、また、周壁２１の内面の凹凸に密接して展着することできる。
【００３６】
図７は本発明に係る高気圧筐体装置の他の実施形態の要部を示すものである。即ち、気密性部材２８の上部コーナ部の各々には上方に向かって突出した係止突起２８５ａを設ける一方、天井部２４のパネル２４２に係止突起２８５ａを係止する被係止孔２８６ａを形成している。
【００３７】
本実施形態によれば、気密性部材２８を天井部２４に取り付ける際、係止突起２８５ａを被係止孔２８６ａに係止することにより、気密性部材２８が天井部２４に吊り下げられた状態となり、気密性部材２８を簡単に仮止めすることができる。その他の構成、作用は前記実施形態と同様である。
【図面の簡単な説明】
【００３８】
【図１】高気圧筐体装置の全体斜視図
【図２】筐体を正面側から見た状態を示す全体斜視図
【図３】筐体の背面側から見た状態を示す一部省略斜視図
【図４】筐体の縦断面図
【図５】気密性部材を広げた状態を示す斜視図
【図６】気密性部材保持枠を示す斜視図
【図７】他の実施形態の要部断面図
【符号の説明】
【００３９】
１…高気圧筐体装置、２０…筐体、２１…周壁、２８…気密性部材、２９…気密性部材保持枠、２３２，２４２，２５２，２６２，２７２…パネル、２３４，２４８，２５８，２６８，２７８…補強フレーム、２８５…係止突起、２８６…被係止孔。
【図１】
2005348817.tif 000003
【図２】
2005348817.tif 000004
【図３】
2005348817.tif 000005
【図４】
2005348817.tif 000006
【図５】
2005348817.tif 000007
【図６】
2005348817.tif 000008
【図７】
2005348817.tif 000009